【手続補正書】
【提出日】平成16年9月24日(2004.9.24)
【手続補正１】
【補正対象書類名】明細書
【補正対象項目名】特許請求の範囲
【補正方法】変更
【補正の内容】
【特許請求の範囲】
【請求項１】
供給部から供給される紙葉類を検査し、この検査結果に応じて検査処理枚数を記憶しながら集積する紙葉類の検査装置における処理枚数の照合方法において、
上記供給部の紙葉類がなくなった際に、上記記憶されている検査処理枚数が所定枚数か否かを判断し、
この判断の結果、上記検査処理枚数が上記所定枚数に達していなかった際に、管理者キーの投入により管理者による確認状態とし、
この管理者による確認状態において、不足の紙葉類枚数を入力し、
この不足の紙葉類枚数の入力後、上記管理者による確認状態を解除する
ことを特徴とする紙葉類の検査装置における処理枚数の照合方法。
【請求項２】
供給部から供給される紙葉類を検査し、この検査結果に応じて検査処理枚数を記憶しながら集積する紙葉類の検査装置における処理枚数の照合方法において、
上記供給部の紙葉類がなくなった際に、上記記憶されている検査処理枚数が所定枚数か否かを判断し、
この判断の結果、上記検査処理枚数が上記所定枚数に達していなかった際に、管理者キーの投入により管理者による確認状態とし、
この管理者による確認状態において、不足の紙葉類枚数を入力し、
この不足の紙葉類枚数の入力後、上記管理者による確認状態を解除し、
この解除後、上記検査処理枚数と上記入力された不足の紙葉類枚数とからなる確認済み結果を出力する
ことを特徴とする紙葉類の検査装置における処理枚数の照合方法。
【請求項３】
供給部から供給される紙葉類を検査し、この検査結果に応じて検査処理枚数を記憶しながら集積する紙葉類の検査装置における処理枚数の照合方法において、
上記供給部の紙葉類がなくなった際に、上記記憶されている検査処理枚数が所定枚数か否かを判断し、
この判断の結果、上記検査処理枚数が上記所定枚数に達していなかった際に、上記紙葉類の検査装置による検査処理を停止し、
この検査処理が停止されている状態で、管理者キーの投入により管理者による確認状態とし、
この管理者による確認状態において、不足の紙葉類枚数を入力し、
この不足の紙葉類枚数の入力後、上記管理者による確認状態を解除し、上記紙葉類の検査装置による検査処理を再開する
ことを特徴とする紙葉類の検査装置における処理枚数の照合方法。
【請求項４】
供給部から供給される紙葉類を検査し、この検査結果に応じて検査処理枚数を記憶しながら集積する紙葉類の検査装置において、
上記供給部の紙葉類がなくなった際に、上記記憶されている検査処理枚数が所定枚数か否かを判断する判断手段と、
この判断手段による判断の結果、上記検査処理枚数が上記所定枚数に達していなかった際に、管理者キーの投入により管理者による確認状態とする制御手段と、
この制御手段による管理者による確認状態において、不足の紙葉類枚数を入力する入力手段と、
この入力手段による不足の紙葉類枚数の入力後、上記制御手段を動作させて上記管理者による確認状態を解除する解除手段と、
を具備したことを特徴とする紙葉類の検査装置。
【請求項５】
供給部から供給される紙葉類を検査し、この検査結果に応じて検査処理枚数を記憶しながら集積する紙葉類の検査装置において、
上記供給部の紙葉類がなくなった際に、上記記憶されている検査処理枚数が所定枚数か否かを判断する判断手段と、
この判断手段による判断の結果、上記検査処理枚数が上記所定枚数に達していなかった際に、管理者キーの投入により管理者による確認状態とする制御手段と、
この制御手段による管理者による確認状態において、不足の紙葉類枚数を入力する入力手段と、
この入力手段による不足の紙葉類枚数の入力後、上記制御手段を動作させて上記管理者による確認状態を解除する解除手段と、
この解除手段による解除後、上記検査処理枚数と上記入力された不足の紙葉類枚数とからなる確認済み結果を出力する出力手段と、
を具備したことを特徴とする紙葉類の検査装置。
【請求項６】
供給部から供給される紙葉類を検査し、この検査結果に応じて検査処理枚数を記憶しながら集積する紙葉類の検査装置において、
上記供給部の紙葉類がなくなった際に、上記記憶されている検査処理枚数が所定枚数か否かを判断する判断手段と、
この判断手段による判断の結果、上記検査処理枚数が上記所定枚数に達していなかった際に、上記紙葉類の検査装置による検査処理を停止する停止手段と、
この停止手段により検査処理が停止されている状態で、管理者キーの投入により管理者による確認状態とする制御手段と、
この制御手段による管理者による確認状態において、不足の紙葉類枚数を入力する入力手段と、
この入力手段による不足の紙葉類枚数の入力後、上記制御手段を動作させて上記管理者による確認状態を解除し、上記紙葉類の検査装置による検査処理を再開する再開手段と、
を具備したことを特徴とする紙葉類の検査装置。
【手続補正２】
【補正対象書類名】明細書
【補正対象項目名】０００７
【補正方法】変更
【補正の内容】
【０００７】
【課題を解決するための手段】
この発明の紙葉類の検査装置における処理枚数の照合方法は、供給部から供給される紙葉類を検査し、この検査結果に応じて検査処理枚数を記憶しながら集積する紙葉類の検査装置における処理枚数の照合方法において、上記供給部の紙葉類がなくなった際に、上記記憶されている検査処理枚数が所定枚数か否かを判断し、この判断の結果、上記検査処理枚数が上記所定枚数に達していなかった際に、管理者キーの投入により管理者による確認状態とし、この管理者による確認状態において、不足の紙葉類枚数を入力し、この不足の紙葉類枚数の入力後、上記管理者による確認状態を解除するものである。
【手続補正３】
【補正対象書類名】明細書
【補正対象項目名】０００８
【補正方法】変更
【補正の内容】
【０００８】
この発明の紙葉類の検査装置における処理枚数の照合方法は、供給部から供給される紙葉類を検査し、この検査結果に応じて検査処理枚数を記憶しながら集積する紙葉類の検査装置における処理枚数の照合方法において、上記供給部の紙葉類がなくなった際に、上記記憶されている検査処理枚数が所定枚数か否かを判断し、この判断の結果、上記検査処理枚数が上記所定枚数に達していなかった際に、管理者キーの投入により管理者による確認状態とし、この管理者による確認状態において、不足の紙葉類枚数を入力し、この不足の紙葉類枚数の入力後、上記管理者による確認状態を解除し、この解除後、上記検査処理枚数と上記入力された不足の紙葉類枚数とからなる確認済み結果を出力するものである。
【手続補正４】
【補正対象書類名】明細書
【補正対象項目名】０００９
【補正方法】変更
【補正の内容】
【０００９】
この発明の紙葉類の検査装置における処理枚数の照合方法は、供給部から供給される紙葉類を検査し、この検査結果に応じて検査処理枚数を記憶しながら集積する紙葉類の検査装置における処理枚数の照合方法において、上記供給部の紙葉類がなくなった際に、上記記憶されている検査処理枚数が所定枚数か否かを判断し、この判断の結果、上記検査処理枚数が上記所定枚数に達していなかった際に、上記紙葉類の検査装置による検査処理を停止し、この検査処理が停止されている状態で、管理者キーの投入により管理者による確認状態とし、この管理者による確認状態において、不足の紙葉類枚数を入力し、この不足の紙葉類枚数の入力後、上記管理者による確認状態を解除し、上記紙葉類の検査装置による検査処理を再開するものである。